(57)【要約】【課題】装置全体の高さを抑える。【解決手段】水槽本体１５０と、水槽本体１５０の底面１０５に一方の端面が接着された内管１０２と、底面１０５に一方の端面が接着された外管１０１とを有し、底面１０５は、内管１０２が接着された端面の内側に設けられた孔１０３と、内管１０２が接着された端面の外側であって外管１０２が接着された端面の内側に設けられた孔１０４とを設ける。【選択図】図１
2020018212.tif 000002
【特許請求の範囲】
【請求項１】
水槽本体と、
前記水槽本体の底面に一方の端面が接着された内管と、
前記底面に一方の端面が接着された外管とを有し、
前記底面は、
前記内管が接着された端面の内側に設けられた第１の孔と、
前記内管が接着された端面の外側であって前記外管が接着された端面の内側に設けられた第２の孔とが設けられた水槽。
【請求項２】
請求項１に記載の水槽において、
前記第１の孔および前記第２の孔は、当該水槽の外部から管をねじ込む構造を有する水槽。
【請求項３】
請求項１または請求項２に記載の水槽において、
前記内管および前記外管は、円柱形である水槽。
【請求項４】
請求項１から３のいずれか１項に記載の水槽において、
前記外管は、所定の高さ以上の部分に、該外管の軸方向と平行な方向にスリットを有する水槽。
【請求項５】
請求項１から３のいずれか１項に記載の水槽において、
前記外管の外側に位置する外側管と、
前記外側管を前記底面に固定する差し込み部とを有し、
前記外側管は、所定の高さ以上の部分に、該外側管の軸方向と平行な方向にスリットを有する水槽。
【請求項６】
内管と、
外管と、
前記内管の一方の端面と前記外管の一方の端面とがそれぞれ接着された底面板とを有し、
前記底面板は、
前記内管が接着された端面の内側に設けられた第１の孔と、
前記内管が接着された端面の外側であって前記外管が接着された端面の内側に設けられた第２の孔とが設けられたオーバーフロー管。
【請求項７】
請求項６に記載のオーバーフロー管と、
前記オーバーフロー管が内部に配置された水槽本体とを有し、
前記水槽本体は、前記第１の孔と前記第２の孔とを塞がないように、前記底面板よりも小さな第３の孔が設けられた底面を具備し、
前記底面板は、前記第３の孔を覆って前記底面に接着されている水槽。
【発明の詳細な説明】
【技術分野】
【０００１】
本発明は、水槽およびオーバーフロー管に関する。
【背景技術】
【０００２】
水族館等に設置された飼育水槽においては、水槽内の生物の生息や、その生物の鑑賞のために、水槽内の水を浄化させる必要がある。水槽内の水を浄化された水と交換することが対策の１つであるが、水の交換にかかる手間や費用が大きな負担となってしまう。そこで、浄化装置を用いて水槽内の水を循環浄化させる技術が考えられている（例えば、特許文献１参照。）。
【０００３】
このような循環浄化には、オーバーフロー管が用いられることが多い。図１３は、一般的なオーバーフロー管を用いた循環浄化システムの一例を示す図である。図１３に示した循環浄化システムは、飼育水槽５００の下部に浄化装置５０４が設置されている。飼育水槽５００には、外管５０１および内管５０２から構成される二重管が配置され、その下部（浄化装置５０４内）でエルボピストル５０３を用いて、外管５０１の接続先と内管５０２の接続先とが互いに分かれるような仕組みとなっている。飼育水槽５００内の水は、外管５０１およびエルボピストル５０３を通って、浄化装置５０４内に設けられた浄化部材（不図示）で浄化され、浄化された水が浄化水として水中ポンプ５０５を用いて吸い上げられ、内管５０２を通って飼育水槽５００内に戻される。
【先行技術文献】
【特許文献】
【０００４】
【特許文献１】特開２０１６−２１４１７５号公報
【発明の概要】
【発明が解決しようとする課題】
【０００５】
飼育水槽５００の設置の高さの制限等から、飼育水槽５００を搭載する浄化装置５０４は、その高さができるだけ低いものが好ましい。しかしながら、エルボピストル５０３を用いる場合、エルボピストル５０３を設置するためのスペースが必要となり、装置全体の高さを抑えることが困難になってしまうという問題点がある。
【０００６】
本発明の目的は、装置全体の高さを抑えることができる水槽およびオーバーフロー管を提供することにある。
【課題を解決するための手段】
【０００７】
本発明は、水槽本体と、
前記水槽本体の底面に一方の端面が接着された内管と、
前記底面に一方の端面が接着された外管とを有し、
前記底面は、
前記内管が接着された端面の内側に設けられた第１の孔と、
前記内管が接着された端面の外側であって前記外管が接着された端面の内側に設けられた第２の孔とが設けられた水槽である。
【０００８】
前記水槽において、前記第１の孔および前記第２の孔は、当該水槽の外部から管をねじ込む構造を有することが好ましい。
【０００９】
前記水槽において、前記内管および前記外管は、円柱形であることが好ましい。
【００１０】
前記水槽において、前記外管は、所定の高さ以上の部分に、該外管の軸方向と平行な方向にスリットを有することが好ましい。
【００１１】
前記水槽において、前記外管の外側に位置する外側管と、
前記外側管を前記底面に固定する差し込み部とを有し、
前記外側管は、所定の高さ以上の部分に、該外側管の軸方向と平行な方向にスリットを有することが好ましい。
【００１２】
また、本発明は、内管と、
外管と、
前記内管の一方の端面と前記外管の一方の端面とがそれぞれ接着された底面板とを有し、
前記底面板は、
前記内管が接着された端面の内側に設けられた第１の孔と、
前記内管が接着された端面の外側であって前記外管が接着された端面の内側に設けられた第２の孔とが設けられたオーバーフロー管である。
【００１３】
また、本発明は、内管と、
外管と、
前記内管の一方の端面と前記外管の一方の端面とがそれぞれ接着された底面板とを有し、
前記底面板は、
前記内管が接着された端面の内側に設けられた第１の孔と、
前記内管が接着された端面の外側であって前記外管が接着された端面の内側に設けられた第２の孔とが設けられたオーバーフロー管と、
前記オーバーフロー管が内部に配置された水槽本体とを有し、
前記水槽本体は、前記第１の孔と前記第２の孔とを塞がないように、前記底面板よりも小さな第３の孔が設けられた底面を具備し、
前記底面板は、前記第３の孔を覆って前記底面に接着されている水槽である。
【発明の効果】
【００１４】
本発明においては、装置全体の高さを抑えることができる。
【図面の簡単な説明】
【００１５】
【図１】本発明の水槽の第１の実施の形態を示す図である。
【図２】図１に示した外管および内管が底面に接着される様子の一例を示す図である。
【図３】図１に示した外管および内管が底面に接着される様子の一例を示す図である。
【図４】図１に示した飼育水槽の適用例を示す図である。
【図５】スリットが設けられた外管の外観の一例を示す図である。
【図６】本発明の水槽の第２の実施の形態を示す図である。
【図７】図６に示した外管および内管が底面に接着され、外側管が底面に固定される様子の一例を示す図である。
【図８】図６に示した外管および内管が底面に接着され、外側管が底面に固定される様子の一例を示す図である。
【図９】図６に示した外側管の側面図の一例である。
【図１０】本発明のオーバーフロー管の実施の一形態を示す図である。
【図１１】図１０に示したオーバーフロー管を底面板側から見た図である。
【図１２】図１０に示したオーバーフロー管の適用例を示す図である。
【図１３】一般的なオーバーフロー管を用いた循環浄化システムの一例を示す図である。
【発明を実施するための形態】
【００１６】
以下に、本発明の実施の形態について図面を参照して説明する。
【００１７】
（第１の実施の形態）
図１は、本発明の水槽の第１の実施の形態を示す図である。本形態における水槽である飼育水槽１００は図１に示すように、水槽本体１５０と、外管１０１と、内管１０２とを有する。水槽本体１５０の底面１０５には、２つの孔１０３，１０４が設けられている。外管１０１は、内管１０２の外側に配置される管であって、その一方の端面が水槽本体１５０の底面１０５に接着されている。内管１０２もその一方の端面が水槽本体１５０の底面１０５に接着されている。孔１０３は、内管１０２が接着された端面の内側に設けられている第１の孔である。孔１０４は、内管１０２が接着された端面の外側であって外管１０１が接着された端面の内側に設けられている第２の孔である。孔１０３，１０４は、飼育水槽１００の外部から管をねじ込む構造を有する。孔１０３，１０４は、例えば、その内側にねじ切りが施されているものであっても良いし、他の構造を用いて管をねじ込むことができるものであっても良い。また、水槽本体１５０、外管１０１および内管１０２の材質は、アクリル製であり、外管１０１および内管１０２は、アクリル用接着剤を用いて底面１０５に溶着されている。また、外管１０１の高さは、飼育水槽１００内の水の水面３００の高さである。つまり、飼育水槽１００内の水は、外管１０１の高さを超えると、外管１０１に入り込み、その水面３００の高さが一定に保たれるようになっている。
【００１８】
図２および図３は、図１に示した外管１０１および内管１０２が底面１０５に接着される様子の一例を示す図である。図２に示すように、底面１０５に設けられた孔１０４および孔１０３をそれぞれの基準として、外管１０１および内管１０２が底面１０５に接着される。内管１０２は、孔１０３の位置が内管１０２の設置された端面の内側になるように接着される。外管１０１は、孔１０４の位置が外管１０１の設置された端面の内側になるように接着される。図３に示すように、外管１０１および内管１０２と底面１０５とが接着された後は、外管１０１を通った水が孔１０４を通り、孔１０３を通った水が内管１０２を通る構造となる。
【００１９】
ここで、孔１０３の位置から孔１０４の位置までの距離について説明する。孔１０３と孔１０４とが外管１０１の設置される端面の内側になるように配置されるため、外管１０１および内管１０２が円柱形であって、外管１０１の内径（内側の直径）がＤであり、孔１０３および孔１０４の直径をそれぞれｄ１，ｄ２とすると、孔１０３の中心から孔１０４の中心までの距離ｌの取りうる範囲は（式１）を用いて表される。
ｄ１＜ｌ＜Ｄ−ｄ２（ｄ１≦ｄ２）    …（式１）
このとき、孔１０３および孔１０４に外部から管をねじ込む作業を考慮すると、孔１０３と孔１０４とはできる限り離して配置した方が好ましい。つまり、孔１０３の位置から孔１０４の位置までの距離は、（式１）を満たす距離のうち最大のものが好ましい。
【００２０】
図４は、図１に示した飼育水槽１００の適用例を示す図である。図４に示すように、図１に示した飼育水槽１００が浄化装置２００に搭載されている。孔１０４には、管２０２が接続されている。孔１０３には、管２０３が接続されている。外管１０１を通った水が孔１０４に接続された管２０２を通り、浄化装置２００内に設けられた浄化部材２０１へ供給される。また、浄化部材２０１から出力された水が孔１０３に接続された管２０３を通り、内管１０２を通って、飼育水槽１００へ戻される。浄化部材２０１は、水を浄化するシステムであって、飼育水槽１００からの水を、活性炭等の部材を用いて浄化して飼育水槽１００へ戻すためのものであり、一般的なもので良く、ここでは特に限定しない。したがって、浄化部材２０１の詳細な構成についてはここでは説明しない。
【００２１】
なお、外管１０１は、所定の高さ以上の部分に、外管１０１の軸方向と平行な方向にスリットが設けられたものであっても良い。図５は、スリットが設けられた外管１０１の外観の一例を示す図である。図５に示すように、外管１０１の上部に複数のスリット１０６が設けられている。このスリット１０６は、飼育水槽１００の水が外管１０１に入り込む際、例えば、飼育水槽１００の中の魚等の生物や他の物体が外管１０１に入り込むことを防ぐためのものである。この目的を達成するものであれば、例えば、外管１０１の軸方向と直交する方向にスリットが設けられているものや、外管１０１の側面上部に単なる孔が設けられているものであっても良い。
【００２２】
また、外管１０１および内管１０２の形状は円柱形が好ましいが、例えば、多角柱のような他の柱状のものであっても本発明は適用可能である。
【００２３】
このように、本形態においては、水槽に設けられた外管から水を排出するための孔と、水槽に設けられた内管へ水を供給する孔とを別個に、浄化装置から管を接続することができるような構成とする。そのため、装置全体の高さを抑えることができる。
【００２４】
（第２の実施の形態）
図６は、本発明の水槽の第２の実施の形態を示す図である。本形態における水槽である飼育水槽１１０は図６に示すように、水槽本体１５０と、外管１０１と、内管１０２と、外側管１１１とを有する。水槽本体１５０の底面１０５には、２つの孔１０３，１０４が設けられている。外管１０１、内管１０２および孔１０３，１０４は、第１の実施の形態におけるものと同じものである。外側管１１１は、外管１０１の外側に設けられた管である。
【００２５】
図７および図８は、図６に示した外管１０１および内管１０２が底面１０５に接着され、外側管１１１が底面１０５に固定される様子の一例を示す図である。図７に示すように、底面１０５に設けられた孔１０４および孔１０３をそれぞれの基準として、外管１０１および内管１０２が底面１０５に接着される。また、底面１０５には差し込み部１１２が設けられている。差し込み部１１２は、外側管１１１を底面１０５に固定するためのものである。例えば、差し込み部１１２は、底面１０５に設けられた凹みであっても良いし、外側管１１１の下部を挟み込むような二重円形の凸部を有する構造のものであっても良い。また、外側管１１１は、外管１０１や内管１０２と同様に、底面１０５に接着されているものであっても構わない。図８に示すように、外管１０１および内管１０２と底面１０５とが接着され、外側管１１１が底面１０５に固定された後は、外管１０１を通った水が孔１０４を通り、孔１０３を通った水が内管１０２を通る構造となる。
【００２６】
図９は、図６に示した外側管１１１の側面図の一例である。図９に示すように、外側管１１１の所定の高さ以上の上部には、第１の実施の形態において図５を用いて説明した外管１０１のスリット１０６と同じような、外側管１１１の軸方向と平行な方向にスリット１１３が設けられている。このスリット１１３は、第１の実施の形態における目的と同じ目的で設けられている。なお、本形態のように外管１０１の外側に外側管１１１を設けることで、外側管１１１が設けられていない水槽においてスリット１０６が設けられた外管１０１で生じてしまう
（１）スリット１０６から流れ落ちる水の形跡（筋）が外管１０１の内側面に残ってしまう
（２）スリット１０６から流れ落ちる水の音が煩わしい
等の不具合を解消することができる。
また、図９に示すように、外側管１１１の下部にスリット１１４を設ける。これにより、外管１０１の外側であって外側管１１１の内側である領域に水が滞留することを防ぐことができる。
【００２７】
このように、本形態においては、水槽に設けられた外管から水を排出するための孔と、水槽に設けられた内管へ水を供給する孔とを別個に、浄化装置から管を接続することができるような構成とする。さらに、上部にスリットを設けた外側管を外管の外側に設ける。これにより、水槽の中の魚等の生物や他の物体が外管に入り込むこと、スリットから入り込む水の形跡およびスリットから入り込む水の音の煩わしさを防ぐことができ、装置全体の高さを抑えることができる。
【００２８】
（他の実施の形態）
図１０は、本発明のオーバーフロー管の実施の一形態を示す図である。本形態におけるオーバーフロー管１２６は図１０に示すように、外管１２１と、内管１２２と、孔１２３，１２４と、底面板１２５とを有する。外管１２１は、内管１２２の外側に配置される管であって、その一方の端面が底面板１２５に接着されている。内管１２２もその一方の端面が底面板１２５に接着されている。孔１２３は、内管１２２が接着された端面の内側に設けられている第１の孔である。孔１２４は、内管１２２が接着された端面の外側であって外管１２１が接着された端面の内側に設けられている第２の孔である。孔１２３，１２４は、外部から管をねじ込む構造を有する。孔１２３，１２４は、例えば、その内側にねじ切りが施されているものであっても良いし、他の構造を用いて管をねじ込むことができるものであっても良い。また、外管１２１、内管１２２および底面板１２５の材質は、アクリル製であり、外管１２１および内管１２２は、アクリル用接着剤を用いて底面板１２５に溶着されている。
【００２９】
図１１は、図１０に示したオーバーフロー管１２６を底面板１２５側から見た図である。図１１に示すように、底面板１２５に２つの孔１２３，１２４が設けられている。
【００３０】
図１２は、図１０に示したオーバーフロー管１２６の適用例を示す図である。図１０に示したオーバーフロー管１２６は図１２に示すように、飼育水槽１２０を構成する水槽本体１６０の底面１２７に接着されている。底面１２７は、孔１２３，１２４が塞がらないように所定の大きさおよび位置の孔（第３の孔）が設けられ、底面板１２５と接着されている。底面板１２５と底面１２７とを接着させるため、底面板１２５の大きさは、少なくとも外管１２１の外径よりも大きい。また、底面板１２５は、第３の孔を覆って底面１２７に接着されるため、第３の孔は底面板１２５よりも小さい。ここで、外管１２１、内管１２２、底面板１２５および底面１２７（飼育水槽１２０）の材質が、アクリル製である場合、底面板１２５と底面１２７とがアクリル用接着剤を用いて溶着されている。底面板１２５と底面１２７とは、飼育水槽１２０の水が外部へ漏れないように接着されている。
【００３１】
このように、本形態においては、飼育水槽１２０とは別個独立して、外管１２１および内管１２２が接着された底面板１２５を有するオーバーフロー管１２６であって、外管１２１内の水を排出する孔１２４と、内管１２２へ水を供給する孔１２３とが設けられ、底面板１２５が飼育水槽１２０を構成する水槽本体１６０の底面１２７と接着できるような構成となっている。そのため、飼育水槽１２０の下部に設けられる浄化装置を含めた装置全体の高さを抑えることができる。
【符号の説明】
【００３２】
１００，１２０    飼育水槽
１０１，１２１    外管
１０２，１２２    内管
１０３，１０４，１２３，１２４    孔
１０５，１２７    底面
１０６，１１３，１１４    スリット
１１１    外側管
１１２    差し込み部
１２５    底面板
１２６    オーバーフロー管
１５０，１６０    水槽本体
２００    浄化装置
２０１    浄化部材
２０２，２０３    管
３００    水面
【図１】
2020018212.tif 000003
【図２】
2020018212.tif 000004
【図３】
2020018212.tif 000005
【図４】
2020018212.tif 000006
【図５】
2020018212.tif 000007
【図６】
2020018212.tif 000008
【図７】
2020018212.tif 000009
【図８】
2020018212.tif 000010
【図９】
2020018212.tif 000011
【図１０】
2020018212.tif 000012
【図１１】
2020018212.tif 000013
【図１２】
2020018212.tif 000014
【図１３】
2020018212.tif 000015